(57)【特許請求の範囲】
【請求項１】
所定の本体装置にポップアップ可能に取り付けられるポップアップ式装置であって、
筐体と、
前記筐体内に収容され支持された中継部材と、
前記筐体内で前記中継部材を前記本体装置から離れる所定の離間方向へ付勢する付勢手段と、
前記付勢手段により付勢された中継部材の、前記筐体とは独立した前記離間方向への動きを規制する規制手段と、
を備え、
前記付勢手段及び前記規制手段は、
前記中継部材を前記所定の離間方向へ付勢した状態で前記離間方向への動きを規制することにより、前記中継部材を前記筐体内に支持しており、
前記中継部材は、
前記規制手段による規制が解除されると、前記付勢手段の付勢力により前記筐体内で該筐体とは独立して前記離間方向へ動いて該筐体に形成された被当て付き部材に当て付き、該付勢力を該筐体に伝達することにより、該筐体をポップアップさせる、
ポップアップ式装置。
【請求項２】
前記中継部材は、
水平方向に広がる板面を持つ第一の板状部材
を含み、
前記付勢手段は、
前記第一の板状部材の下面から該第一の板状部材を上方へ付勢し、
前記規制手段は、
前記第一の板状部材の上面に当て付くことにより、前記付勢手段により付勢された中継部材の、前記筐体とは独立した上方への動きを規制し、
前記第一の板状部材は、
前記規制手段が前記第一の板状部材の上面から外れると、前記付勢手段の付勢力により前記筐体内で該筐体とは独立して上方へ動いて前記被当て付き部材に当て付き、該付勢力を該筐体に伝達することにより、該筐体をポップアップさせる、
請求項１に記載のポップアップ式装置。
【請求項３】
前記付勢手段は、
一端が所定の固定部材に当て付けられ、他端が前記第一の板状部材の下面に引っ掛けられたトーションばねである、
請求項２に記載のポップアップ式装置。
【請求項４】
前記規制手段は、
前記第一の板状部材の上面に引っ掛けられることにより、上方に付勢された該第一の板状部材を上面から押さえるフック手段である、
請求項２又は請求項３に記載のポップアップ式装置。
【請求項５】
前記フック手段は、
所定の固定部材に回転動作可能に支持されており、
前記第一の板状部材の上面に引っ掛かる先端フック部分が前記フック手段の回転軸に対して水平方向及び鉛直方向にずれて位置する、
請求項４に記載のポップアップ式装置。
【請求項６】
前記フック手段が回動して、前記先端フック部分が前記第一の板状部材の下方から該第一の板状部材の上面に乗り上げたときに、該第一の板状部材の上面が該先端フック部分に係り、上方に付勢された該第一の板状部材を該先端フック部分が上面から押さえる、
請求項５に記載のポップアップ式装置。
【請求項７】
前記被当て付き部材は、
前記筐体内において前記中継部材の上方に設けられており、前記規制手段による該中継部材の規制時に該中継部材に対して所定の間隔を空けて位置するボスである、
請求項１から請求項６の何れか一項に記載のポップアップ式装置。
【請求項８】
前記中継部材の下方において前記筐体に保持された弾性部材
を備え、
前記弾性部材は、
前記規制手段による前記中継部材の規制時に該中継部材により上方から押して圧せられることにより、前記筐体を前記本体装置に押し付ける、
請求項１から請求項７の何れか一項に記載のポップアップ式装置。
【請求項９】
前記筐体内における前記中継部材の鉛直方向の位置を調整する位置調整手段
を備える、
請求項１から請求項８の何れか一項に記載のポップアップ式装置。
【請求項１０】
前記筐体は、
上面視時の形状が所定の中心軸を挟んで線対称となるコの字形状であり、
前記中継部材は、
前記筐体の内壁面に沿ってコの字状に形成されており、
前記中心軸を挟んで線対称に配置された一対の前記第一の板状部材と、
前記一対の第一の板状部材を連結する第二の板状部材と、
を有する、
請求項２を引用する請求項３から請求項９の何れか一項に記載のポップアップ式装置。
【請求項１１】
前記筐体は、
被写体を照明するフラッシュランプを支持する、
請求項１から請求項１０の何れか一項に記載のポップアップ式装置。
【請求項１２】
請求項１１に記載のポップアップ式装置と、
前記ポップアップ式装置をポップアップ可能に支持するカメラボディと、
を備える、
撮影装置。
【発明の詳細な説明】
【技術分野】
【０００１】
本発明は、ポップアップ式装置及び該ポップアップ式装置を搭載した撮影装置に関する。
【背景技術】
【０００２】
デジタル一眼レフカメラ等に搭載されるポップアップ式装置が知られている。例えば特許文献１に、この種のポップアップ式装置の具体的構成が記載されている。特許文献１に記載のポップアップ式装置は、操作釦が押し込まれると、操作釦に対応する位置にある操作アーム部が押し圧せられて、回動ロックレバーがその突起部を板ばね部材の弾接支持面で摺動させながら軸部を中心にロック解除方向に回転動作する。これにより、ロック用突部の係合凹部からロック爪が外れるため、解放された発光部ケースがトーションばねの付勢力によりポップアップして、発光部ケース内部に収容された発光部が所定の使用位置にセットされる。
【先行技術文献】
【特許文献】
【０００３】
【特許文献１】特開平９−８０５９２号公報
【発明の概要】
【発明が解決しようとする課題】
【０００４】
特許文献１に記載のポップアップ式装置において、発光部ケースは、トーションばねによって使用位置（開方向）に向けて回転動作可能に常時付勢されている。そのため、カメラボディの上カバーと発光部ケースとの間に外観上隙間が生じる。また、上カバーと発光部ケースとの隙間は均一ではなくトーションばねに近い位置ほど大きくなる。そのため、発光部ケースが上カバーに対して傾いて設置されているように見えてしまう。
【０００５】
本発明は上記の事情に鑑みてなされたものであり、その目的とするところは、上カバーと発光部ケース等の二つの部品の隙間による装置（撮影装置等）の見栄えの劣化を抑えるのに好適なポップアップ式装置及び該ポップアップ式装置を搭載した撮影装置を提供することである。
【課題を解決するための手段】
【０００６】
本実施形態のポップアップ式装置は、所定の本体装置にポップアップ可能に取り付けられる装置であり、筐体と、筐体内に収容され支持された中継部材と、筐体内で中継部材を本体装置から離れる所定の離間方向へ付勢する付勢手段と、付勢手段により付勢された中継部材の、筐体とは独立した該離間方向への動きを規制する規制手段とを備える。中継部材は、規制手段による規制が解除されると、付勢手段の付勢力により筐体内で筐体とは独立して該離間方向へ動いて筐体に形成された被当て付き部材に当て付き、付勢力を筐体に伝達することにより、筐体をポップアップさせる。
【０００７】
本実施形態によれば、規制手段による規制が解除される前は、中継部材が付勢手段の付勢力を筐体に伝達させないため、本体装置と筐体との間に付勢力による外観上の隙間が生じない。そのため、この種の隙間による装置の見栄えの劣化が抑えられる。
【０００８】
中継部材は、水平方向に広がる板面を持つ第一の板状部材を含む構成としてもよい。この場合、付勢手段は、第一の板状部材の下面から第一の板状部材を上方へ付勢する。規制手段は、第一の板状部材の上面に当て付くことにより、付勢手段により付勢された中継部材の、筐体とは独立した上方への動きを規制する。第一の板状部材は、規制手段が第一の板状部材の上面から外れると、付勢手段の付勢力により筐体内で筐体とは独立して上方へ動いて被当て付き部材に当て付き、付勢力を筐体に伝達することにより、筐体をポップアップさせる。
【０００９】
付勢手段は、例えば、一端が所定の固定部材に当て付けられ、他端が第一の板状部材の下面に引っ掛けられたトーションばねである。
【００１０】
規制手段は、例えば、第一の板状部材の上面に引っ掛けられることにより、上方に付勢された第一の板状部材を上面から押さえるフック手段である。
【００１１】
フック手段は、第一の板状部材を引き込みながら第一の板状部材の上面に引っ掛かることにより、上方に付勢された第一の板状部材を上面から押さえる構成としてもよい。
【００１２】
フック手段は、所定の固定部材に回転動作可能に支持されており、第一の板状部材の上面に引っ掛かる先端フック部分がフック手段の回転軸に対して水平方向及び鉛直方向にずれて位置する構成としてもよい。
【００１３】
被当て付き部材は、例えば、筐体内において中継部材の上方に設けられており、規制手段による中継部材の規制時に中継部材に対して所定の間隔を空けて位置するボスである。
【００１４】
ポップアップ式装置は、中継部材の下方において筐体に保持された弾性部材を備える構成としてもよい。弾性部材は、規制手段による中継部材の規制時に中継部材により上方から押して圧せられることにより、筐体を本体装置に押し付ける構成としてもよい。
【００１５】
ポップアップ式装置は、筐体内における中継部材の鉛直方向の位置を調整する位置調整手段を備える構成としてもよい。
【００１６】
筐体は、上面視時の形状が所定の中心軸を挟んで線対称となるコの字形状としてもよい。また、中継部材は、筐体の内壁面に沿ってコの字状に形成されており、中心軸を挟んで線対称に配置された一対の第一の板状部材と、一対の第一の板状部材を連結する第二の板状部材とを有する構成としてもよい。
【００１７】
筐体は、被写体を照明するフラッシュランプを支持する構成としてもよい。
【００１８】
本実施形態の撮影装置は、上記のポップアップ式装置と、ポップアップ式装置をポップアップ可能に支持するカメラボディとを備える。
【発明の効果】
【００１９】
本実施形態によれば、上カバーと発光部ケース等の二つの部品の隙間による装置（撮影装置等）の見栄えの劣化を抑えるのに好適なポップアップ式装置及び該ポップアップ式装置を搭載した撮影装置が提供される。
【図面の簡単な説明】
【００２０】
【図１】本発明の実施形態のポップアップ式フラッシュ装置を搭載した撮影装置の外観斜視図（閉状態）である。
【図２】本発明の実施形態のポップアップ式フラッシュ装置を搭載した撮影装置の外観斜視図（開状態）である。
【図３】本発明の実施形態のポップアップ式フラッシュ装置の内部構成を示す上面図（閉状態）である。
【図４】図３におけるＡ−Ａ断面を示す断面図である。
【図５】図４中、破線にて囲われた領域を拡大して示す拡大断面図である。
【図６】開方向へポップアップされる際のポップアップ式フラッシュ装置の状態を示す断面図である。
【図７】閉方向へ閉じられる際のポップアップ式フラッシュ装置の構成を示す断面図である。
【発明を実施するための形態】
【００２１】
以下、本発明の実施形態の撮影装置について図面を参照しながら説明する。以下においては、撮影装置の一実施形態として、ポップアップ式フラッシュ装置を搭載したデジタル一眼レフカメラを説明する。なお、撮影装置は、デジタル一眼レフカメラに限らず、例えば、ミラーレス一眼カメラ、コンパクトデジタルカメラ、ビデオカメラ、カムコーダ、タブレット端末、ＰＨＳ（Personal Handy phone System）、スマートフォン、フィーチャフォン、携帯ゲーム機など、撮影機能を有する別の形態の装置に置き換えてもよい。
【００２２】
図１及び図２は、本実施形態のポップアップ式フラッシュ装置１００を搭載した撮影装置１の外観斜視図である。図１は、ポップアップ式フラッシュ装置１００が閉状態の撮影装置１を示し、図２は、ポップアップ式フラッシュ装置１００が開状態の撮影装置１を示す。
【００２３】
図１及び図２に示されるように、撮影装置１は、カメラボディを構成する上カバー１０を備えている。ポップアップ式フラッシュ装置１００は、上カバー１０に取り付けられている。ポップアップ式フラッシュ装置１００は、被写体を照明するフラッシュランプ１０２をはじめとする各種構成要素を保持するフラッシュケース１０４と、フラッシュケース１０４に保持された各種構成要素を保護するフラッシュカバー１０６を備えている。操作釦１２が押されると、ポップアップ式フラッシュ装置１００が閉状態（図１）から開状態（図２）へポップアップして、フラッシュランプ１０２が所定の使用位置にセットされる。
【００２４】
図３は、ポップアップ式フラッシュ装置１００の内部構成を示す上面図（閉状態）である。説明の便宜上、図３中、中心軸Ｏ方向をＺ方向と定義し、Ｚ方向と直交し且つ紙面と平行な方向をＸ方向と定義し、Ｚ方向と直交し且つ紙面と直交する方向をＹ方向と定義する。また、Ｚ方向のプラス側を前側と定義し、Ｚ方向のマイナス側を後ろ側と定義する。図４は、図３におけるＡ−Ａ断面を示す断面図である。図５は、図４中、破線にて囲われた領域を拡大して示す拡大断面図である。なお、ポップアップ式フラッシュ装置１００の内部構成を上方から示す便宜上、図３だけ、フラッシュカバー１０６を取り外した状態を示す。フラッシュケース１０４とフラッシュカバー１０６は、４つのねじ１１０の各々によりねじ止めされている。
【００２５】
図３に示されるように、フラッシュケース１０４は、上カバー１０の形状を逃げるため（図１等参照）、コの字状（ＸＺ平面視時）に形成されている。具体的には、フラッシュケース１０４は、Ｚ方向に長い一対のアームケース部１０４ａと、一対のアームケース部１０４ａを連結する保持ケース部１０４ｂを備えている。保持ケース部１０４ｂには、フラッシュランプ１０２が保持されている。
【００２６】
フラッシュケース１０４の各アームケース部１０４ａの後側端部には、アームケース軸穴１０４ａａが形成されている。アームケース軸穴１０４ａａには、上カバー１０に支持された軸体１１２が挿し込まれている。軸体１１２は、フラッシュケース１０４（ポップアップ式フラッシュ装置１００全体）を上カバー１０に対して回転動作可能に支持している。
【００２７】
フラッシュケース１０４とフラッシュカバー１０６とが規定する収容スペースＳ内には、金属製の板状部材（中継部材）１０８が収容されている。板状部材１０８は、垂直板部１０８ａ及び一対の水平板部１０８ｂを備えている。垂直板部１０８ａは、保持ケース部１０４ｂの内壁面（ＸＹ平面）に沿った板面の両端を、それぞれがＹＺ平面を向くと共に各アームケース部１０４ａの内壁面に沿うように折り曲げることによって形成されている。すなわち、垂直板部１０８ａは、図３に示されるように、フラッシュケース１０４の内壁面に沿ってコの字状（ＸＺ平面視時）に形成されている。また、水平板部１０８ｂは、アームケース部１０４ａの内壁面に沿う垂直板部１０８ａの一部を、板面がＸＺ平面を向くように折り曲げることによって形成されている。附言するに、板状部材１０８は、中心軸Ｏを挟んで対称な形状を持つ。
【００２８】
垂直板部１０８ａの両端（各アームケース部１０４ａの内壁面に沿う部分の後側端部）には、板部軸穴１０８ａａが形成されている。板部軸穴１０８ａａは、アームケース部１０４ａのアームケース軸穴１０４ａａと同軸に配置されており、軸体１１２が挿し込まれている。これにより、板状部材１０８は、収容スペースＳ内でフラッシュケース１０４等の他の部材と独立して、軸体１１２を中心に回転動作可能となっている。
【００２９】
水平板部１０８ｂには、フラッシュカバー１０６に形成された支柱１０６ａを逃げる逃げ形状が形成されている。
【００３０】
軸体１１２には、ポップアップ式フラッシュ装置１００をポップアップさせるためのトーションばね１１４が取り付けられている。トーションばね１１４は、一端が上カバー１０に当て付けられた状態で他端が水平板部１０８ｂの下面に引っ掛けられている。そのため、水平板部１０８ｂ（板状部材１０８全体）には、トーションばね１１４による上方（ポップアップ式フラッシュ装置１００の開方向）への付勢力が常時かかっている。
【００３１】
フラッシュケース１０４の底部には、ケース開口１０４ｃが形成されている。また、上カバー１０には、フック部材１１６が支持されている。フック部材１１６は、図４に示される初期位置に復帰するように、不図示の付勢手段によって回転方向（図４の時計回り）に常時付勢されている。
【００３２】
図４や図５に示されるように、フック部材１１６は、ポップアップ式フラッシュ装置１００が閉状態にあるとき、初期位置に付勢されている。初期位置において、フック部材１１６の先端フック部分１１６ａは、収容スペースＳ内にケース開口１０４ｃを介して収容され、かつ水平板部１０８ｂに形成された板部開口１０８ｃを介して水平板部１０８ｂの上面に引っ掛けられることにより、上方に付勢された水平板部１０８ｂを上面から押さえている。すなわち、水平板部１０８ｂ（板状部材１０８全体）は、トーションばね１１４によって上方へ付勢されると同時に、初期位置にセットされた先端フック部分１１６ａに押さえられることで上方への移動が規制されている。
【００３３】
ポップアップ式フラッシュ装置１００が閉状態にあるとき、収容スペースＳ内において板状部材１０８の上方への移動が規制されるため、トーションばね１１４による上方への付勢力が板状部材１０８を介してフラッシュケース１０４及びフラッシュカバー１０６に伝達されない。そのため、本実施形態では、トーションばね１１４の上方への付勢力に起因する外観上の隙間（例えば外観上目立つ大きな隙間や不均一な隙間）がフラッシュケース１０４と上カバー１０との間に殆ど生じず、この種の隙間による撮影装置１の見栄えの劣化が抑えられる。また、この種の隙間による、上カバー１０に対するフラッシュケース１０４のガタつきも抑えられる。
【００３４】
アームケース部１０４ａは、水平板部１０８ｂの下方において一対の弾性部材（合成ゴム等）１１８を保持している。水平板部１０８ｂは、初期位置にセットされた先端フック部分１１６ａによって上方への移動が規制されているとき（ポップアップ式フラッシュ装置１００が閉状態にあるとき）、弾性部材１１８を上方から押して圧する。弾性部材１１８は、水平板部１０８ｂに押し圧せられることにより、フラッシュケース１０４を下方へ押し付ける。これにより、フラッシュケース１０４の下面に形成されたリブ１０４ｄが上カバー１０に押し付けられて実質的に密着する。
【００３５】
附言するに、各アームケース部１０４ａに保持された合計二対の弾性部材１１８は、各一対が中心軸Ｏを挟んで線対称となる位置に配置されており、かつ、コの字状に形成されたフラッシュケース１０４に対して比較的均等に配置されている。そのため、二対の弾性部材１１８は、フラッシュケース１０４全体を比較的均等に下方へ押し付ける。そのため、リブ１０４ｄは、その全周に亘って上カバー１０に均等に密着する。
【００３６】
例えば撮影装置１の姿勢が正姿勢以外に変えられた場合であっても、リブ１０４ｄと上カバー１０とが実質的に密着した状態が維持されるため、フラッシュケース１０４と上カバー１０との間に隙間が生じない。すなわち、撮影装置１の姿勢に拘わらずフラッシュケース１０４と上カバー１０との間に外観上の隙間（例えば外観上目立つ大きな隙間や不均一な隙間）が殆ど生じず、この種の隙間による撮影装置１の見栄えの劣化が抑えられる。また、この種の隙間による、上カバー１０に対するフラッシュケース１０４のガタつきも抑えられる。
【００３７】
図６（ａ）及び図６（ｂ）は、開方向へポップアップされる際のポップアップ式フラッシュ装置１００の状態を示す、図４と同様の断面図である。操作釦１２が押されると、初期位置に付勢されたフック部材１１６は、周知の回転構造により、フック軸体１１６ｂを中心に図６（ａ）の反時計回りに回転動作する。フック部材１１６が初期位置から回転動作することにより、先端フック部分１１６ａが水平板部１０８ｂの上面から外れる。先端フック部分１１６ａから解放された水平板部１０８ｂ（板状部材１０８全体）は、収容スペースＳ内でフラッシュケース１０４等の他の部材と独立して、トーションばね１１４の付勢力により、軸体１１２を中心に図６（ａ）の時計回りに回転動作する。
【００３８】
水平板部１０８ｂは、図６（ａ）の時計回りに回転するほど弾性部材１１８から徐々に離れる方向に移動する。弾性部材１１８は、水平板部１０８ｂが離れる方向に移動するほど自然状態に戻る。弾性部材１１８は、自然状態に戻った時点で水平板部１０８ｂの下面から離間する。
【００３９】
フラッシュカバー１０６の内壁面には、ボス１０６ｂが形成されている。ボス１０６ｂは、水平板部１０８ｂの上方に設けられており、図４や図５に示されるように、ポップアップ式フラッシュ装置１００が閉状態にあるとき、水平板部１０８ｂに対して所定の間隔を空けて位置する。水平板部１０８ｂが解放されて軸体１１２を中心に図６（ａ）の時計回りに回転動作すると、図６（ａ）に示されるように、水平板部１０８ｂの上面がボス１０６ｂに当て付く。水平板部１０８ｂは、ボス１０６ｂを介してフラッシュカバー１０６を含むポップアップ式フラッシュ装置１００全体にトーションばね１１４の付勢力を伝達する。これにより、図６（ｂ）に示されるように、ポップアップ式フラッシュ装置１００が開状態へポップアップして、フラッシュランプ１０２が所定の使用位置にセットされる（図２参照）。
【００４０】
なお、ポップアップ式フラッシュ装置１００が不意にポップアップしないように、先端フック部分１１６ａが水平板部１０８ｂを上面から押さえている力は、トーションばね１１４及び弾性部材１１８による水平板部１０８ｂへの合計の付勢力よりも十分に大きく設定されている。
【００４１】
アームケース部１０４ａは、水平板部１０８ｂの下方において位置調整部材（例えば六角穴付き止めねじ）１２２を保持している。位置調整部材１１２は、水平板部１０８ｂの下面と接触しており、例えばポップアップ式フラッシュ装置１００の製造時、六角棒スパナを用いてＹ方向の位置が調整される。
【００４２】
調整された位置調整部材１１２の位置に応じて収容ケースＳ内における水平板部１０８ｂのＹ方向の位置が変化する。この調整作業により、アームケース部１０４ａの底面と水平板部１０８ｂの下面との間隔が調整される。
【００４３】
アームケース部１０４ａの底面と水平板部１０８ｂの下面との間隔が変わると、先端フック部分１１６ａと水平板部１０８ｂとの掛かり具合が変化する。本実施形態では、部品個体差による先端フック部分１１６ａと水平板部１０８ｂとの掛かり具合のバラつきを抑えるため、位置調整部材１１２を用いて上記間隔が調整される。
【００４４】
次に、ユーザがフラッシュカバー１０６を押してポップアップ式フラッシュ装置１００を閉じる場合を考える。図７（ａ）及び図７（ｂ）は、閉方向に閉じられる際のポップアップ式フラッシュ装置１００の構成を示す、図４と同様の断面図である。
【００４５】
ポップアップ式フラッシュ装置１００が閉方向に移動されると、図７（ａ）に示されるように、先端フック部分１１６ａが収容スペースＳ内にケース開口１０４ｃを介して収容されて、先端フック部分１１６ａの先端傾斜面１１６ａが板部開口１０８ｃを規定する開口縁と接触する。ポップアップ式フラッシュ装置１００が閉方向に更に移動されると、先端フック部分１１６ａは、先端傾斜面１１６ａが板部開口１０８ｃの開口縁上を摺動されながら開口縁に押されることで図７（ａ）の反時計回りに僅かに回転動作する。先端フック部分１１６ａは、次いで、図７（ｂ）に示されるように、水平板部１０８ｂの上面に乗り上げると、図７（ａ）の時計回りに回転動作して水平板部１０８ｂの上面に引っ掛かり、水平板部１０８ｂを引き込みながら初期位置に復帰する。
【００４６】
ボス１０６ｂは、先端フック部分１１６ａが初期位置に復帰する直前であって、水平板部１０８ｂが先端フック部分１１６ａに引き込まれ始めると、水平板部１０８ｂから離間する。これにより、トーションばね１１４による、フラッシュケース１０４等への上方への付勢力の伝達がカットされる。また、弾性部材１１８は、先端フック部分１１６ａが初期位置に復帰する直前であって、水平板部１０８ｂが先端フック部分１１６ａに引き込まれ始めてから、水平板部１０８ｂにより上方から押し圧せられる。これにより、リブ１０４ｄが上カバー１０に当て付いて上カバー１０と実質的に密着する。この結果、ポップアップ式フラッシュ装置１００は閉状態となる（図４参照）。
【００４７】
本実施形態では、先端フック部分１１６ａがフック軸体１１６ｂに対してＹ方向及びＺ方向の二方向にずれた位置に形成されているため、例えばＹ方向にだけずれた構成と比べて先端フック部分１１６ａとフック軸体１１６ｂとの距離が離れている。これにより、先端フック部分１１６ａが少ない回転量で多く移動する。そのため、先端フック部分１１６ａが水平板部１０８ｂの上面に引っ掛けられる際の、先端フック部分１１６ａの回転量が抑えられる。また、本実施形態では、先端フック部分１１６ａが初期位置に復帰する直前の過程で水平板部１０８ｂが先端フック部分１１６ａに引き込まれて引っ掛かるため、水平板部１０８ｂを先端フック部分１１６ａに引っ掛ける際に必要な水平板部１０８ｂの回転量が抑えられる。このように、本実施形態では、先端フック部分１１６ａ及び水平板部１０８ｂの回転量が抑えられるため、回転動作に起因する誤差量が少ない。そのため、閉状態におけるフラッシュケース１０４と上カバー１０との外観上の隙間を抑えるのに有利である。
【００４８】
以上が本発明の例示的な実施形態の説明である。本発明の実施形態は、上記に説明したものに限定されず、本発明の技術的思想の範囲において様々な変形が可能である。例えば明細書中に例示的に明示される実施形態等又は自明な実施形態等を適宜組み合わせた内容も本願の実施形態に含まれる。
【符号の説明】
【００４９】
１  撮影装置
１０  上カバー
１２  操作釦
１００  ポップアップ式フラッシュ装置
１０２  フラッシュランプ
１０４  フラッシュケース
１０４ａ  アームケース部
１０４ａａ  アームケース軸穴
１０４ｂ  保持ケース部
１０４ｃ  ケース開口
１０４ｄ  リブ
１０６  フラッシュカバー
１０６ａ  支柱
１０６ｂ  ボス
１０８  板状部材
１０８ａ  垂直板部
１０８ａａ  板部軸穴
１０８ｂ  水平板部
１０８ｃ  板部開口
１１０  ねじ
１１２  軸体
１１４  トーションばね
１１６  フック部材
１１６ａ  先端フック部分
１１６ａａ  先端傾斜面
１１６ｂ  フック軸体
１１８  弾性部材
１２０  位置調整部材
【図１】
0006435713.tif 000002
【図２】
0006435713.tif 000003
【図３】
0006435713.tif 000004
【図４】
0006435713.tif 000005
【図５】
0006435713.tif 000006
【図６】
0006435713.tif 000007
【図７】
0006435713.tif 000008